(57)【要約】【課題】  椅子の背もたれに付設するハンガーを片手で好きな高さに固定でき衣服及びマフラーや膝掛け及びバッグ等を背もたれに、絡ませることなく機能をそなえたハンガー装置付き椅子を提供することを課題とする。【解決手段】  ２本の平行する杆材（４ａ）（４ｂ）の上端に取り付けたハンガー（１）と杆材の対向する側面に鋸状の溝を付けた（１１ａ）（１１ｂ）を相対向して形成された鋸上係合溝装置を背もたれに取り付けて、鋸状の溝に係止し機能が働き包含する杆材（４ａ）（４ｂ）を上下方向に移動の都度、包含機能が働き無段階で係止しすることができ、杆材の下端にある案内支持軸部材（９ａ）（９ｂ）が、フラップ機巧で自動的に斜め後方に傾斜機能を備えたことを特徴にした装置である。【選択図】図７
0003139643.tif 000002
【実用新案登録請求の範囲】
【請求項１】
椅子の背も立れの裏側部に、支柱を介して平行する２本の杆材あるいは板状杆材の上に取り付けたハンガーと、杆材の対向する側面に鋸状の係合溝を相対向して、形成された鋸状係合溝装置を背もたれに取り付けて、前記２本の杆材または板状の杆材を上方向に可動することで、斜め後方に傾斜し杆材が係合溝に包含され係止する装置を取り付けた衣服及びマフラーや膝掛け及びバッグ等が掛けられることを特徴とする装置を備えたハンガー機構付き椅子。
【請求項２】
前記杆材に弾性的を持たせ鋸状係合溝に包含させ杆材を係止し、保持されるようにした事と、背カバー外側に取り外しが可能な弾性を持たせた部材等の網目袋（ネット）及び、プラスチック部材等で形成し、バッグ等を収納できることを特徴とする装置を備えた請求項１を記載のハンガー機構付き椅子。
【請求項３】
前記杆材にスプリング等で杆材を引く構造と杆材を押す構造及びラチェット式構造等で弾性的を持たせることを特徴とする装置を備え、フラップ機巧で自動的に斜め後方に傾斜機構装置を備えた、請求項１または請求項２の記載のハンガー機構付き椅子。
【考案の詳細な説明】
【技術分野】
【０００１】  本考案は、座り心地に影響なく、椅子の背もたれに衣服を絡まることがなく簡単に掛けられ、マフラーや膝掛け及びバッグ等も掛けられるハンガー機構付椅子に関するものである。
【背景技術】
【０００２】  オフィス、レストラン、駅等のコーヒースタンド、パチンコ店等において衣服やマフラー等を脱いだ場合、背もたれにそのまま掛けられる構造及びバッグ等が収納できる構造である。
【考案の開示】
【考案が解決しようとす課題】
【０００３】  衣服が皺になつたり、裾が床に触れて汚れたり、所によって衣服等の置き場所が無かったりと精神的負担である。従って、椅子にハンガー機能装置を取付けることにより前途の欠点を解決しようとするものである。
【課題を解決するための手段】
【０００４】  本考案は、椅子の背もたれの裏側部にハンガー装置部を取付け、そのハンガー部を上に引き上げることで自動的に後方に傾き、角度を付けることにより、高さを無段階的に係止され問題点を解決している。
【考案の効果】
【０００５】  本考案のハンガー機構付き椅子は座り心地を損ねることなく、ハンガー本体に衣服及びマフラーや膝掛け及びバッグ等を掛ける構造、及びバッグ等が収納可能な装置を設けることで、衣服等の皺無し、裾の汚れ無し、ロッカースペースの確保無しで日常的に役立つ。
【考案を実施するための最良の形態】
【０００６】  ハンガー収納本体を椅子の背もたれの裏側に取付け、ハンガーの杆材を上げることより自動的に角度が付く様に加工を施した構造を保持したものである。【０００７】  本考案は使用可能の高さまで持ち上げ無断階的に係止機能が働く構造からなっている。【０００８】  本考案はあらゆる椅子に容易に取り付け、取り外しが可能で安価で量産が可能の構造から構成されている。【０００９】  ハンガー部を収納するにはハンガー部を前方に押して下に下げる行為でスムーズに元の位置に戻る機構である。【００１０】  従来のハンガー付椅子方式は、ハンガー部を上下させる構造だけのため、衣服が背もたれに、絡む性質は避けられませんでしたが、本考案はこれらを全て解決した構造を成し得てる。【００１１】  背もたれの裏側カバーが付いているタイプでも、その裏カバー内に組み込める形成された構造である。【００１２】  ハンガー不使用時において、杆材部分を収納部に収納させる事よりハンガー部材が椅子の機能や快適性を損なう原因となることはない。【００１３】  本考案は上下移動からなる片手で１つの操作により、ハンガーの使用状態及び収納状態を実現するものである。【００１４】  本考案の好適な実施例においては、図１、図２は椅子の一形態の主要部背後から見た斜視図を示しおり、図３、図４は本考案によるハンガー装置の一実施形態の詳細を示している。【００１５】  本考案は背もたれ椅子の背もたれ部に衣服及びマフラーや膝掛け及びバッグ等を掛けるハンガー機構装置を取り付けて、使用時において、ハンガーを上げることで斜め後方に傾斜し高さが自動的に固定される機構からなる。
【実旋例】
【００１６】  本考案を添付図面に従って一実旋を説明する。図１は不使用時からハンガー（１）に手を掛けて上方へ引き上げると、使用可能な高さに達すると係止機能が働き包含され、図２のようにハンガー（１）が係合溝に係止し斜め後方で傾斜を可能にしたものである。
【００１７】  本考案は金属部材等でも可能だが、ハンガー本体（１）及びその他部材，プラスチック等で安価で耐久性のある適宣素材にて，形成された２本の杆材（４ａ）（４ｂ）を両側に鋸状係合部材（１１ａ）（１１ｂ）で連結板を支注に取り付けることで可能に設けている。
【００１８】  フランジ（１０ａ）（１０ｂ）付き案内支持軸部材（９ａ）（９ｂ）が鋸係合溝（１１ａ）（１１ｂ）に沿って導かれる構造を可能に設けている。
【００１９】  本考案はハンガー（１）の下に支持軸（２）を設けることで、衣服及びマフラーや膝掛け及びバッグ等が掛けられる構造を設け、又背もたれカバー外側に収納部材（１５）を設けることを可能にしている。
【産業上の利用可能性】
【００２０】  省エネルギー対策として、衣服及びマフラーや膝掛け及びバッグ等が掛けられ、クールビズ、ウォームビズ向けに、産業上の利用可能性を有する。
【図面の簡単な説明】
【００２１】
【図１】本考案の一実施例を示すハンガーの不使用状態を示す背斜面図及び取り付け、取り外し可能なバッグ等の収納部材を取り付けた背斜面図である。である。
【図２】本考案の一実施例を示すハンガーの使用状態を示した背斜面図である。
【図３】本考案の一実施形態を示すハンガー装置の作用図である。
【図４】本考案の一実施形態に係るハンガー昇降要部の両側を含めた全体図である。
【図５】従来のハンガー付椅子に衣服を掛けた状態を示す斜視図である。
【図６】本考案の実施形態に係るハンガー部に衣服を掛けた状態を示す斜視図である。
【図７】本考案の一実施形態に係るハンガー装置昇降要部の斜面図である。
【図８】本考案の一実施形態に係るハンガー部にマフラーを掛けた状態を示す斜視図である。
【符号の説明】
【００２２】１．ハンガー本体
２．支持軸
３．背もたれ
４ａ．４ｂ．杆材
５．椅子本体
６ａ．６ｂ．ハンガー挿入部材
７ａ．７ｂ．回転支持軸付き中空支持部材
８ａ．８ｂ．Ｅリング
９ａ．９ｂ．案内支持軸部材
１０ａ．１０ｂ．輪ぶち（フランジ）
１１ａ．１１ｂ．鋸状係合部材
１２．支持板本体部材
１３ａ．１３ｂ．巻きばね（コイル  スプリング）
１４．背面カバー
１５．ジャケット
１６．マフラー
【図１】
0003139643.tif 000003
【図２】
0003139643.tif 000004
【図３】
0003139643.tif 000005
【図４】
0003139643.tif 000006
【図５】
0003139643.tif 000007
【図６】
0003139643.tif 000008
【図７】
0003139643.tif 000009
【図８】
0003139643.tif 000010
【手続補正書】
【提出日】平成19年12月12日(2007.12.12)
【手続補正３】
【補正対象書類名】実用新案登録請求の範囲
【補正対象項目名】全文
【補正方法】変更
【補正の内容】
【実用新案登録請求の範囲】
【請求項１】
背もたれの内部に対向させて板材が配置され、該それぞれの板材の略下半部には中央部が座席側に折曲げられ上半部の前記座席側縁に鋸刃状の係止部が形成されたガイド孔が設けられ、前記それぞれの板材の上部には、該板材の適位置に上部が枢支されて回転自在の中空支持部材が設けられ、該それぞれの中空支持部材に杆材が挿通されるとともに該杆材の下端に設けた案内支持軸部材が前記ガイド孔にそれぞれ適合させられ、前記それぞれの中空支持部材の下部が前記座席側に付勢され、前記杆材の上端にハンガー本体が連結されてなることを特徴とするハンガー機構付き椅子。
【請求項２】
ハンガー本体が背もたれの内部に格納自在であることを特徴とする請求項１に記載のハンガー機構付き椅子。
【請求項３】
背もたれの背面部にバック等を収納できる収納部材を設けたことを特徴とする請求項１又は２記載のハンガー機構付き椅子。
【手続補正４】
【補正対象書類名】明細書
【補正対象項目名】全文
【補正方法】変更
【補正の内容】
【考案の詳細な説明】
【技術分野】
【０００１】
本考案は、座り心地に影響はなく、椅子の背もたれに衣服を絡ませることなく簡単に掛けられ、マフラーや膝掛け及びバッグ等も掛けられるハンガー機構付き椅子に関するものである。
【背景技術】
【０００２】
従来、図５に示すような椅子が提案されている。すなわち、背もたれ３の上部に杆材４ａ、４ｂで支持されたハンガー本体１が、前記杆材４ａ、４ｂとともに垂直に上下動するように設けられたものである。図中、５は座席、１５はジャケットである。
【考案の開示】
【考案が解決しようとする課題】
【０００３】
前記従来の椅子では、前記ハンガー本体１にジャケット１５を掛けた場合には、該ジャケット１５の前身部分が前記背もたれ３の座席５側に垂れ下がり、背もたれ３に背をもたれ掛けると、前記ジャケット１５の前身部分が背中で押圧され皺が生じるとともに、皺が生じることを避けるためには背をもたれ掛けることを避けねばならず座り心地が悪くなるなどの問題があった。本考案は上記のごとき欠点を解決しようとするものである。
【課題を解決するための手段】
【０００４】
前記課題を解決するため、本考案のハンガー機構付き椅子は、背もたれの内部に対向させて板材が配置され、該それぞれの板材の略下半部には中央部が座席側に折曲げられ上半部の前記座席側縁に鋸刃状の係止部が形成されたガイド孔が設けられ、前記それぞれの板材の上部には、該板材の適位置に上部が枢支されて回転自在の中空支持部材が設けられ、該それぞれの中空支持部材に杆材が挿通されるとともに該杆材の下端に設けた案内支持軸部材が前記ガイド孔にそれぞれ適合させられ、前記それぞれの中空支持部材の下部が前記座席側に付勢され、前記杆材の上端にハンガー本体が連結されてなることを特徴とするものである（請求項１）。
【０００５】
前記本考案によれば、背もたれからハンガー本体を上に引き出すと、該ハンガー本体が自動的に背もたれの背面部に傾くものである。したがって、ハンガー本体にジャケットを掛けた場合には該ジャケットの前身部分も背もたれの背面部に位置する。すなわち、背もたれに背をもたれ掛けても前記ジャッケッの前身部分を背中で押圧することがなく、座り心地を損ねることもないものである。さらに、前記ハンガー本体の高さを無段階に調整することができるものである。
【０００６】
好適な実施の形態として、ハンガー本体が背もたれの内部に格納自在であることを特徴とする（請求項２）。この実施の形態によれば、前記ハンガー本体の不使用時には、通常の椅子としての形態が保たれて体裁がよいものである。
【０００７】
さらに好適な実施の形態として、背もたれの背面部にバッグ等を収納できる収納部材を設けたことを特徴とする（請求項３）。この実施の形態によれば、前記ジャケット等のほかに、バッグ等の身回り品を自己の椅子に確保及び収納できるため便利である。
【考案の効果】
【０００８】
本考案のハンガー機構付き椅子は、座り心地を損ねることなく、ハンガー本体に衣服、マフラー、肘掛け及びバッグ等を掛けることができ、また、バッグ等が収納可能な装置を設けることで、バッグ等の身回り品を自己の椅子に確保及び収納でき、さらにまたロッカースペースの確保が不要であり日常的に役立つものである。
【考案を実施するための最良の形態】
【０００９】
以下、添付図面を参照して、本考案を実施するための最良の形態について説明する
【００１０】
図１は、本考案の実施の一形態に係るハンガー機構付き椅子の背面斜視図、図２は、ハンガー本体を引き出した状態を示す背面斜視図、図３は、杆材の格納及び引き出し状態を示す内部構造の説明図、図４は、杆材の格納状態を示す内部構造の説明図、図５は、従来例を示す正面斜視図、図６は、本考案の使用状態を示す正面斜視図、図７は、本考案の内部構造を示す斜視図、図８は、本考案の他の使用状態を示す背面斜視図である。
【００１１】
背もたれ３の内部に、図４及び図７に示すように、板材１１ａ、１１ｂが対向させて配置される。図面実施の一形態では、前記板材１１ａ、１１ｂは、その一辺が支持板１２で連結及び一体化されて対向させられている。
【００１２】
つぎに、前記それぞれの板材１１ａ、１１ｂの略下半部には、中央部が座席５側に折曲げられたガイド孔１９ａ、１９ｂが対向させて設けられる。
【００１３】
さらに、前記それぞれのガイド孔１９ａ、１９ｂの上半部の前記座席５側縁に鋸刃状の係止部１８ａ、１８ｂが形成される。
【００１４】
つぎに、前記板材１１ａ、１１ｂの上部には、該板材１１ａ、１１ｂ適位置に上部が軸８ａ、８ｂで枢支されて回転自在の中空支持部材７ａ、７ｂがそれぞれ設けられる。さらに前記それぞれの中空支持部材７ａ、７ｂに杆材４ａ、４ｂがそれぞれ挿通される。また、該杆材４ａ、４ｂの上端には連結部材６ａ、６ｂを介してハンガー本体１が連結される。
【００１５】
さらに、前記それぞれの杆材４ａ、４ｂの下端には、前記ガイド孔１９ａ、１９ｂ側にそれぞれ案内支持軸部材９ａ、９ｂが突出させられて、該それぞれの案内支持軸部材９ａ、９ｂが前記ガイド孔１９ａ、１９ｂにそれぞれ適合させられる。
【００１６】
つぎに、前記中空支持部材７ａ、７ｂの下部が、前記座席５側にそれぞれ付勢される。図面実施の一例では、前記付勢手段として、コイルスプリング１３ａ、１３ｂが用いられ、前記中空支持部材７ａ、７ｂの下部が前記座席５側にそれぞれ引っ張られている。もっとも、前記中空支持部材７ａ、７ｂの下部を前記座席５側にスプリング等で押圧してもよい。
【００１７】
前記構成にあって、好適には、前記背もたれ３の上部には、前記ハンガー本体１が格納される格納部１０形成される。また、前記背もたれ３の背面部１４には図１に示すようにネット材等からなるバッグ等の収納部材１７が設けられる。
【００１８】
前記構成の本考案は、ハンガー本体１の不必要時には、前記ハンガー本体１は、図１に示すように、格納部１０に格納され、通常に椅子の形態が保持されている。この状態では、前記ハンガー本体１及び該ハンガー本体１を支持する杆材４ａ、４ｂは、図７及び図４の状態にある。
【００１９】
つぎに、ジャケット１５を脱いだ場合には、前記ハンガー本体１を上に引き出す。その結果、前記杆材４ａ、４ｂも同時に引き出され、該杆材４ａ、４ｂの下端に設けられた案内支持部材９ａ、９ｂが、前記板材１１ａ、１１ｂに形成されたガイド孔１９ａ、１９ｂ案内されて上方に移動させられる。
【００２０】
前記ハンガー本体１、杆材４ａ、４ｂ及び案内支持部材９ａ、９ｂの上方への移動は、前記中空支持部材７ａ、７ｂが回転することによりスムースに行われ、やがては、前記杆材４ａ、４ｂの下端に設けられた案内支持部材９ａ、９ｂが前記コイルスプリング１３ａ、１３ｂの引張力により前記ガイド孔１９ａ、１９ｂの上半部の前記座席５側縁に形成された鋸刃状の係止部１８ａ、１８ｂに係止させられて静止する。なお、前記ハンガー本体１の高さは前記案内支持部材９ａ、９ｂを前記鋸刃状の係止部１８ａ、１８ｂの適宜の位置に係止させることにより自由に調整可能である。
【００２１】
前記の状態になると、前記板材１１ａ、１１ｂの略下半分に形成されたガイド孔１９ａ、１９ｂの中央部が前記座席５側に折曲げられていることから、図２、図３、図６及び図８に示すように、前記杆材４ａ、４ｂ及びハンガー本体１が前記背もたれ３の背面部１４側に傾斜させられる。
【００２２】
したがって、前記ハンガー本体１にジャケット１５を掛けた場合（図６）、あるいはマフラー１６を掛けた場合（図８）にも前記背もたれ３の座席５側には、前記ジャケット１５の前身部分、あるいはマフラー１６の片側が位置することがないものである。
【産業上の利用可能性】
【００２３】
本願のハンガー機構付き椅子は、座り心地を損ねることなく、ジャケット、その他の身回り品を体裁よく身近に置くことができ、使用者はもとより産業上の利用の可能性は大きいものである。
【図面の簡単な説明】
【００２４】
【図１】本考案の実施の一形態に係るハンガー機構付き椅子の背面斜視図である。
【図２】ハンガー本体を引き出した状態を示す背面斜視図である。
【図３】杆材に格納及び引き出し状態を示す内部構造の説明図である。
【図４】杆材の格納状態を示す内部構造の説明図である。
【図５】従来例を示す正面斜視図である。
【図６】本考案の使用状態を示す正面斜視図である。
【図７】本考案の内部構造を示す斜視図である。
【図８】本考案の他の使用状態を示す背面斜視図である。
【符号の説明】
【００２５】
１  ハンガー本体
３  背もたれ
４ａ、４ｂ  杆材
５  座席
７ａ、７ｂ  中空支持部材
９ａ、９ｂ  案内支持軸部材
１０ 格納部
１１ａ、１１ｂ  板材
１３ａ、１３ｂ  コイルスプリング
１４  背面部
１７  収納部材
１８ａ、１８ｂ 鋸刃状の係止部
１９ａ、１９ｂ ガイド孔
【手続補正５】
【補正対象書類名】図面
【補正対象項目名】図１
【補正方法】変更
【補正の内容】
【図１】
0003139643.tif 000011
【手続補正６】
【補正対象書類名】図面
【補正対象項目名】図２
【補正方法】変更
【補正の内容】
【図２】
0003139643.tif 000012
【手続補正７】
【補正対象書類名】図面
【補正対象項目名】図３
【補正方法】変更
【補正の内容】
【図３】
0003139643.tif 000013
【手続補正８】
【補正対象書類名】図面
【補正対象項目名】図４
【補正方法】変更
【補正の内容】
【図４】
0003139643.tif 000014
【手続補正９】
【補正対象書類名】図面
【補正対象項目名】図６
【補正方法】変更
【補正の内容】
【図６】
0003139643.tif 000015
【手続補正１０】
【補正対象書類名】図面
【補正対象項目名】図７
【補正方法】変更
【補正の内容】
【図７】
0003139643.tif 000016
【手続補正１１】
【補正対象書類名】図面
【補正対象項目名】図８
【補正方法】変更
【補正の内容】
【図８】
0003139643.tif 000017